【誤訳訂正書】
【提出日】令和2年5月15日(2020.5.15)
【誤訳訂正１】
【訂正対象書類名】明細書
【訂正対象項目名】０１４２
【訂正方法】変更
【訂正の内容】
【０１４２】
Ｉ．洗浄溶液からのロイコ着色剤効率の決定方法
コットン見本（Ｓｔｙｌｅ  ４０３）を切り取ってから、４９℃で２回、ヘビーデューティ洗濯洗剤無増白剤（水溶液中１．５５ｇ／Ｌ）で洗浄する。試験される各ロイコ着色剤の濃縮原液は、エタノール又は５０：５０のエタノール：水から選択される溶媒、好ましくはエタノール中で調製される。
【誤訳訂正２】
【訂正対象書類名】明細書
【訂正対象項目名】０１４３
【訂正方法】変更
【訂正の内容】
【０１４３】
Ａ．変換剤なしの液体媒体
ベース洗浄液は、ＡＡＴＣＣヘビーデューティ液体洗濯洗剤無増白剤（５．２３ｇ／１．０Ｌ）を脱イオン水に溶解することによって調製される。４つの切り取られたコットン見本を一緒に秤量し、２つの１０ｍｍガラス大理石と共に２５０ｍＬの三角フラスコに入れる。試験される各洗浄液について合計３つのそのようなフラスコを準備する。ベース洗浄液にロイコ着色剤原液を投与して、所望の２．０×１０−６Ｎ洗浄剤濃度のロイコ着色剤を有する洗浄溶液を得る。（例として、４９３．６５ｇ／当量の等価重量を有するロイコ着色剤の１．０ｐｐｍ洗浄液、又は７５７．９７ｇ／当量の等価重量を有するロイコ着色剤の１．５ｐｐｍ洗浄液は、２．０×１０−６Ｎロイコである洗浄溶液を提供する。）
【誤訳訂正３】
【訂正対象書類名】明細書
【訂正対象項目名】０１４７
【訂正方法】変更
【訂正の内容】
【０１４７】
Ｂ．変換剤を有する液体媒体（補助変換剤なし）
ベース洗浄液は、都市用水が塩素で処理されている都市用水に、ヘビーデューティ液体洗濯洗剤無増白剤（５．２３ｇ／１．０Ｌ）を溶解することによって調製される。都市用水中の遊離塩素及び総塩素のレベルは、Ｃｈｅｍｏｕｒｓの塩素Ｖａｃ−ｖｉａｌｓｓ（登録商標）（ＣＨＥＭｅｔｒｉｃｓ，Ｉｎｃ．，Ｍｉｄｌａｎｄ，ＶＡ）を使用して、製造業者の指示に従って測定することができる。４つの切り取られたコットン見本を一緒に秤量し、２つの１０ｍｍガラス大理石と共に２５０ｍＬの三角フラスコに入れる。試験される各洗浄液について合計３つのそのようなフラスコを準備する。ベース洗浄液にロイコ着色剤原液を投与して、所望の２．０×１０−６Ｎ洗浄剤濃度のロイコ着色剤を有する洗浄溶液を得る。
【誤訳訂正４】
【訂正対象書類名】明細書
【訂正対象項目名】０１５１
【訂正方法】変更
【訂正の内容】
【０１５１】
Ｃ．変換剤プラス補助変換剤を有する液体媒体
ベース洗浄液は、都市用水が塩素で処理されている都市用水に、ヘビーデューティ液体洗濯洗剤無増白剤（５．２３ｇ／１．０Ｌ）を溶解することによって調製される。都市用水中の遊離塩素及び総塩素のレベルは、Ｃｈｅｍｏｕｒｓの塩素Ｖａｃ−ｖｉａｌｓｓ（登録商標）（ＣＨＥＭｅｔｒｉｃｓ，Ｉｎｃ．，Ｍｉｄｌａｎｄ，ＶＡ）を使用して、製造業者の指示に従って測定することができる。４つの切り取られたコットン見本を一緒に秤量し、２つの１０ｍｍガラス大理石と共に２５０ｍＬの三角フラスコに入れる。試験される各洗浄液について合計３つのそのようなフラスコを準備する。
【誤訳訂正５】
【訂正対象書類名】特許請求の範囲
【訂正対象項目名】全文
【訂正方法】変更
【訂正の内容】
【特許請求の範囲】
【請求項１】
（ａ）ロイコ組成物を含む洗濯ケア組成物を用意するステップと、（ｂ）変換剤を含む液体媒体に前記洗濯ケア組成物を添加するステップと、（ｃ）前記織物物品を前記液体媒体と接触させるステップと、（ｄ）前記ロイコ組成物の少なくとも一部分を変換して酸化ロイコ組成物を形成するステップと、（ｅ）前記酸化ロイコ組成物の少なくとも一部分を前記織物上に付着させるステップと、（ｆ）任意に、前記織物をすすぐステップと、（ｇ）前記織物物品を乾燥させるステップと、を含み、前記織物物品は、向上した青味付けを有する、織物物品を処理する方法であって、
前記ロイコ組成物が、式Ｉで表される化合物を含み、
【化１】
2019534392.tif 000001
式Ｉ対その酸化形態の比は少なくとも１：３であり、式中、環Ａ、Ｂ及びＣの各々の個々のＲｏ、Ｒｍ及びＲｐ基は、水素、重水素及びＲ５からなる群から独立して選択され、各Ｒ５は、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から独立して選択され、前記３つの環Ａ、Ｂ、又はＣのうちの少なくとも１つのＲｏ基及びＲｍ基のうちの少なくとも１つは、水素であり、各Ｒｐは、水素、−ＯＲ１、及び−ＮＲ１Ｒ２から独立して選択され、
式中、Ｇは、水素、重水素、Ｃ１〜Ｃ１６アルコキシド、フェノキシド、ビスフェノキシド、亜硝酸塩、ニトリル、アルキルアミン、イミダゾール、アリールアミン、ポリアルキレンオキシド、ハロゲン化物、アルキルスルフィド、アリールスルフィド、及びホスフィンオキシドからなる群から独立して選択され、
式中、Ｒ１、Ｒ２及びＲ３は、水素、アルキル、置換アルキル、アリール、置換アリール、アルカリル、置換アルカリル、及びＲ４からなる群から独立して選択され、Ｒ４は、２８〜５００の範囲の前記モノマー分子量を有する１つ以上の有機モノマーから構成される有機基であり、
前記化合物に存在する任意の電荷は、適切な独立して選択された内部又は外部対イオンと平衡化される、織物物品を処理する方法。
【請求項２】
前記変換剤は、塩素、二酸化塩素、次亜塩素酸塩及びそれらの混合物からなる群から選択される、請求項１に記載の織物物品を処理する方法。
【請求項３】
前記３つの環Ａ、Ｂ、又はＣのうちの少なくとも１つのＲｏ基及びＲｍ基の４つ全てが水素である、請求項１又は２に記載の織物物品を処理する方法。
【請求項４】
３つ全ての環Ａ、Ｂ、又はＣの全てのＲｏ基及びＲｍ基が水素である、請求項１〜３のいずれか一項に記載の織物物品を処理する方法。
【請求項５】
３つ全てのＲｐが、−ＮＲ１Ｒ２である、請求項１〜４のいずれか一項に記載の織物物品を処理する方法。
【請求項６】
Ｒ４が、アルキレンオキシ、オキソアルキレンオキシ、オキソアルキレンアミン、エピクロロヒドリン、四級化エピクロロヒドリン、アルキレンアミン、ヒドロキシアルキレン、アシルオキシアルキレン、カルボキシアルキレン、カルボアルコキシアルキレン、及び糖からなる群から選択される、請求項１〜５のいずれか一項に記載の織物物品を処理する方法。
【請求項７】
前記洗濯ケア成分が、界面活性剤、ビルダー、キレート剤、移染防止剤、分散剤、酵素、酵素安定剤、触媒物質、漂白活性化剤、ポリマー分散剤、クレイ汚れ除去剤、再付着防止剤、増白剤、抑泡剤、染料、香料、香料送達系、構造化剤、布地柔軟剤、キャリア、ヒドロトロープ、加工助剤、顔料、酸化防止剤、及びこれらの混合物からなる群から選択される、請求項１〜６のいずれか一項に記載の織物物品を処理する方法。